(57)【要約】      （修正有）【課題】発電及び充電する動作が容易に且つ安定した姿勢でできるもので、フィーリングが良好でデザイン性にも優れたものである。【解決手段】本体ケース１の表面１ａを左手の掌に当接させて親指を天井部１ｂｃに沿って当接し他の四指を底部１ｃに当接して把持できるサイズに形成し、裏面１ｂには手動式発電機２ａの発電駆動軸２ｂに接続した回転板２ｃを備え、回転板２ｃとヒンジ部２ｅを介して回転用ツマミ２ｇを突設したハンドル杆２ｆを延設し、回転用ツマミ２ｇを収納する凹陥部２ｈを裏面１ｂに凹設した手動式発電手段２と、手動式発電手段２と電気的に接続させた充電手段３とを備え、本体ケース１に充電手段３と電気的に接続させたラジオ手段４と警報サイレン手段５とライト手段６と他機器充電手段７と自己充電手段８との少なくとも一つを備えた。【選択図】図１
0003110900.tif 000002
【実用新案登録請求の範囲】
【請求項１】
本体ケースの表面と裏面とを略平行に対峙させ、該表面と裏面との下方を略長円平板状の底部で接続し、該底部の先端側と基端側並びに表面と裏面との側方と上方とを断面略半円状のケース側壁を延設して接続し、該ケース側壁の基端側には略半円弧状の基端部乃至頂部を形成し、該頂部から先端側に下がる略直線状の天井部を形成し、該天井部の先端側と前記底部の先端側とを短垂直状の先端部で接続すると共に、前記本体ケースの表面を左手の掌に当接させて親指を天井部に沿って当接し他の四指を底部に当接して把持できるサイズに形成し、前記裏面には本体ケースに内装した手動式発電機の発電駆動軸に接続した回転板を備え、該回転板にはコ字状の凹溝を形成し、該凹溝の両側にはヒンジ軸受部を形成し、該ヒンジ軸受部にヒンジ軸を挿通して枢動自在のヒンジ部を設け、該ヒンジ部からハンドル杆を延設し、該ハンドル杆の先端には回転用ツマミを突設し、該回転用ツマを収納する凹陥部を前記裏面に凹設した手動式発電手段と、該手動式発電手段と電気的に接続させた充電手段とを備えたことを特徴とする手動式発電充電装置。
【請求項２】
前記本体ケースに前記充電手段と電気的に接続させたラジオ手段と警報サイレン手段とライト手段と他の電気機器に充電できる他機器充電手段と商業電源から充電できる自己充電手段との少なくとも一つを備えると共に、本体ケースの外装にはストラップを締結できるストラップ締結手段を備えたことを特徴とする請求項１に記載の手動式発電充電装置。
【考案の詳細な説明】
【技術分野】
【０００１】  本考案は手動式発電充電装置に関するものであって、更に詳細には、災害時や遭難時等の緊急時又はキャンプや登山等の商業電源の取れない場所や時において好適に使用できる手動式発電充電装置に関するものである。
【背景技術】
【０００２】  従来から、この種の手動式発電充電装置は各種開発されており、商業電源の取れない場所や時に使用されているが、発電時には強く且つ早く回転させることが効率的な発電に繋がることから、装置そのものをしっかり安定した状態で把持できる形状が必要である。【０００３】  例えば、片手で操作ができ、しかも、携帯電話や携帯ラジオの充電器として共用できるのみならず、災害時に懐中電灯としても使用できる携帯用発電機として、操作レバーを反復握持することにより発電機を駆動する携帯用発電機であって、充電対象の携帯用電気機器の充電器用コネクタに接続可能な構成のコネクタを備え、充電対象の携帯用電気機器に接続コードを介して充電可能にしたもの（特許文献１参照）や、手動を停止しても外部機器への電力供給がなされ、外部機器の操作を容易に実施することができ、尚且つ安定した電力を供給できるようにしたものであり、手動により回転されて発電する少なくとも１つの発電モータ１４と、この発電モータ１４よりの出力電流を整流された所定の電圧として外部の機器に供給する手動発電機１において、充電可能な２次電池１０を具備し、この２次電池１０と前記発電モータ１４とを並列して外部機器への電力供給路６に接続するもの（特許文献２参照）や、携帯型充電装置であって、手動回転式の発電機を内蔵しており、携帯電話、ポータブルラジオ、懐中電灯等において便宜に使用することができるものとして、手動式回転自在のハンドルと，該ハンドルの回転動作により電圧を発生する発電機と，該発電機の発電電圧を定電圧化する定電圧回路と，該定電圧回路からの出力により二次電池を充電する出力端子と，充電対象の二次電池に印加する所定の電圧値または電流値を検出する検出回路を備え，上記定電圧回路は降圧型のＤＣ−ＤＣコンバータで構成され，前記検出回路は、前記充電対象の二次電池の充電終了を判定して、対応の充電表示をする表示回路を兼用しているもの（特許文献３参照）等が開示されている。
【特許文献１】特開２００３−４７１９９号公報
【特許文献２】特開平１１−２８８７４２号公報
【特許文献３】特開平１０−２１０６７３号公報
【考案の開示】
【考案が解決しようとする課題】
【０００４】  然し乍ら、先に開示された、片手で操作ができ、しかも、携帯電話や携帯ラジオの充電器として共用できるのみならず、災害時に懐中電灯としても使用できる携帯用発電機として、操作レバーを反復握持することにより発電機を駆動する携帯用発電機であって、充電対象の携帯用電気機器の充電器用コネクタに接続可能な構成のコネクタを備え、充電対象の携帯用電気機器に接続コードを介して充電可能にしたものでは、操作レバーを反復運動を発電機の回転運動に変換して発電することから、スプリング、ワンウエイクラッチ、ギア等の多数のパーツを組み込まなければ成らず、更に、往復運動を回転運動の変換することからエネルギーの損失が大きいものである。【０００５】  更に、手動を停止しても外部機器への電力供給がなされ、外部機器の操作を容易に実施することができ、尚且つ安定した電力を供給できるようにしたものであり、手動により回転されて発電する少なくとも１つの発電モータ１４と、この発電モータ１４よりの出力電流を整流された所定の電圧として外部の機器に供給する手動発電機１において、充電可能な２次電池１０を具備し、この２次電池１０と前記発電モータ１４とを並列して外部機器への電力供給路６に接続するものでは、発電する時に把持しにくく、又、発電のための回転レバーが突出したままの状態となっており携帯や収納時に邪魔になったり、引っかかったりするものである。【０００６】  更には、携帯型充電装置であって、手動回転式の発電機を内蔵しており、携帯電話、ポータブルラジオ、懐中電灯等において便宜に使用することができるものとして、手動式回転自在のハンドルと，該ハンドルの回転動作により電圧を発生する発電機と，該発電機の発電電圧を定電圧化する定電圧回路と，該定電圧回路からの出力により二次電池を充電する出力端子と，充電対象の二次電池に印加する所定の電圧値または電流値を検出する検出回路を備え，上記定電圧回路は降圧型のＤＣ−ＤＣコンバータで構成され，前記検出回路は、前記充電対象の二次電池の充電終了を判定して、対応の充電表示をする表示回路を兼用しているものでは、円筒状の本体の基端にハンドルを設けており、片手で本体の胴部を把持して他の手で基端突出させたハンドルを回転させるには安定性に欠けるものである。
【課題を解決するための手段】
【０００７】  本考案の手動式発電充電装置は、前述の課題に鑑み、鋭意研鑽の結果、本体ケースの表面と裏面とを対峙させ、表面と裏面との下方を略長円平板状の底部で接続し、底部並びに表面と裏面とを断面略半円状のケース側壁を延設して接続し、ケース側壁の基端側には略半円弧状の基端部乃至頂部を形成し、頂部から先端側に下がる略直線状の天井部を形成し、天井部と底部を短垂直状の先端部で接続すると共に、本体ケースの表面を左手の掌に当接させて親指を天井部に沿って当接し他の四指を底部に当接して把持できるサイズに形成し、裏面には本体ケースに内装した手動式発電機の発電駆動軸に接続した回転板を備え、回転板には凹溝を形成し、凹溝の両側にはヒンジ軸受部を形成し、ヒンジ軸受部にヒンジ軸を挿通してヒンジ部を設け、ヒンジ部からハンドル杆を延設し、ハンドル杆の先端には回転用ツマミを突設し、回転用ツマを収納する凹陥部を裏面に凹設した手動式発電手段と、手動式発電手段と電気的に接続させた充電手段とを備え、更に、本体ケースに充電手段と電気的に接続させたラジオ手段と警報サイレン手段とライト手段と他の電気機器に充電できる他機器充電手段と商業電源から充電できる自己充電手段との少なくとも一つを備えると共に、本体ケースの外装にはストラップを締結できるストラップ締結手段を備えたものである。
【考案の効果】
【０００８】  本考案の手動式発電充電装置は、本体ケースの表面と裏面とを略平行に対峙させ、表面と裏面との下方を略長円平板状の底部で接続し、底部の先端側と基端側並びに表面と裏面との側方と上方とを断面略半円状のケース側壁を延設して接続し、ケース側壁の基端側には略半円弧状の基端部乃至頂部を形成し、頂部から先端側に下がる略直線状の天井部を形成し、該天井部の先端側と前記底部の先端側とを短垂直状の先端部で接続すると共に、本体ケースの表面を左手の掌に当接させて親指を天井部に沿って当接し他の四指を底部に当接して把持できるサイズに形成した構成により、左手でしっかり本体ケースを把持して、右手でハンドルを回転させて発電及び充電する動作が容易に且つ安定した姿勢でできるもので、フィーリングが良好でデザイン性にも優れたものである。
【考案を実施するための最良の形態】
【０００９】  本考案は手動式発電充電装置に関するものであって、更に詳細には、災害時や遭難時等の緊急時又はキャンプや登山等の商業電源の取れない場所や時において好適に使用できる手動式発電充電装置に関するものであり、請求項１に記載の手動式発電充電装置は、本体ケース１の表面１ａと裏面１ｂとを略平行に対峙させ、該表面１ａと裏面１ｂとの下方を略長円平板状の底部１ｃで接続し、該底部１ｃの先端側と基端側並びに表面１ａと裏面１ｂとの側方と上方とを断面略半円状のケース側壁１ｄを延設して接続し、該ケース側壁１ｄの基端側には略半円弧状の基端部１ｄａ乃至頂部１ｄｂを形成し、該頂部１ｄｂから先端側に下がる略直線状の天井部１ｂｃを形成し、該天井部１ｂｃの先端側と前記底部１ｃの先端側とを短垂直状の先端部１ｄｄで接続すると共に、前記本体ケース１の表面１ａを左手の掌に当接させて親指を天井部１ｂｃに沿って当接し他の四指を底部１ｃに当接して把持できるサイズに形成し、前記裏面１ｂには本体ケース１に内装した手動式発電機２ａの発電駆動軸２ｂに接続した回転板２ｃを備え、該回転板２ｃにはコ字状の凹溝２ｄを形成し、該凹溝２ｄの両側にはヒンジ軸受部を形成し、該ヒンジ軸受部にヒンジ軸を挿通して枢動自在のヒンジ部２ｅを設け、該ヒンジ部２ｅからハンドル杆２ｆを延設し、該ハンドル杆２ｆの先端には回転用ツマミ２ｇを突設し、該回転用ツマミ２ｇを収納する凹陥部２ｈを前記裏面１ｂに凹設した手動式発電手段２と、該手動式発電手段２と電気的に接続させた充電手段３とを備えたものである。【００１０】  更に、請求項２に記載の手動式発電充電装置は、請求項１に記載の手動式発電充電装置において、前記本体ケース１に前記充電手段３と電気的に接続させたラジオ手段４と警報サイレン手段５とライト手段６と他の電気機器に充電できる他機器充電手段７と商業電源から充電できる自己充電手段８との少なくとも一つを備えると共に、本体ケース１の外装にはストラップを締結できるストラップ締結手段９を備えたものである。
【実施例】
【００１１】  以下、本考案の手動式発電充電装置を実施例の図面を用いて詳細に説明すると、図１は本考案の手動式発電充電装置の実施例を説明するための正面図であり、図２は本考案の手動式発電充電装置の実施例を説明するための背面図であり、図３は本考案の手動式発電充電装置の実施例を説明するための側面図であり、図４は本考案の手動式発電充電装置の実施例を説明するための平面図である。【００１２】  即ち、本考案の手動式発電充電装置の本体ケース１は、図示する如く、表面１ａと裏面１ｂと底部１ｃとケース側壁１ｄで囲ったもので、巾方向の真ん中で分割した略対称形状に形成した異形皿状の表面部材と裏面部材を合着させて複数のビスで止めているものである。【００１３】  そして、表面１ａと裏面１ｂとは略平行に対峙させているもので、表面１ａには後述するラジオ手段４を備えるものであり、裏面１ｂには後述する手動式発電手段２のハンドル杆２ｆを備えるものである。【００１４】  次に、底部１ｃは略長円平板状のもので載置するとき安定して載置できるように底面を平坦状とすると共に、巾方向の両側辺に表面１ａと裏面１ｂと垂直に対峙させて角部は面取りしてアール状に形成して延設しており、長手方向の先端側と基端側とには後述するケース側壁１ｄを角部はアール状に形成して延設しているものである。【００１５】  次いで、ケース側壁１ｄの長手方向は底部１ｃの先端側と基端側に接続し、巾方向は表面１ａと裏面１ｂとの側方と上方とを接続しているもので、断面略半円状の樋型形状に形成しており、後述する基端部１ｄａと頂部１ｄｂと天井部１ｄｃと先端部１ｄｄから成るものである。【００１６】  更に、基端部１ｄａ乃至頂部１ｄｂはケース側壁１ｄの基端側に形成しているもので、底部１ｃの基端側から延設され後方に若干膨出させて頂部１ｄｂに至る正面視、略半円弧状に形成しているものであり、基端部１ｄａには後述する他の電気機器に充電できる他機器充電手段７の他の電気機器のピンプラグ（図示しない）を挿通させるピンジャックと、商業電源から充電できる自己充電手段８のピンプラグ（図示しない）を挿通させるピンジャックと、ラジオ手段４のイヤホンやヘッドホンのピンプラグ（図示しない）を挿通させるピンジャックとを夫々設けたピンジャック部１０を形成するものである。【００１７】  更には、天井部１ｂｃは頂部１ｄｂから延設された先端側に下がる傾斜面とした正面視、略直線状もので、後述するライト手段６のオンオフスイッチ６ａを設けることができるものであり、更に、先端側は後述する先端部１ｄｄを延設させているものである。【００１８】  更に、先端部１ｄｄは天井部１ｄｃの先端側と底部１ｃの先端側とを短垂直状に接続するもので、後述するライト手段６の照射用レンズ６ｂを備えることができるものである。【００１９】  そして、サイズは本体ケース１の表面１ａを左手の掌に当接させて、親指を天井部１ｂｃに沿って当接し、他の四指を底部１ｃに当接して確りと把持できる大きさにしており、図１に図示する如く、正面視、異形ヘルメット形状としており、人間の自然な握り方で握るとすっぽりと左手の掌に納まるものである。【００２０】  更には、回転板２ｃは本体ケース１に内装した後述する手���式発電手段２の手動式発電機２ａの発電駆動軸２ｂを裏面１ｂに露出させ、発電駆動軸２ｂに回転自在に中心部を固定している円板状のものである。【００２１】  更に、凹溝２ｄは円板状の回転板２ｃの表面側の中心点を通過して外周から外周まで断面コ字状に形成しているもので、ヒンジ軸受部は凹溝２ｄの両側に小孔を形成しているもので後述するヒンジ部２ｅを設けるものある。【００２２】  次いで、ヒンジ部２ｅは後述するハンドル杆２ｆの基端の両側にヒンジ軸を突設させ、ヒンジ軸を前記凹溝２ｄのヒンジ軸受部に挿通させることでハンドル杆２ｆを反転可能としているものである。【００２３】  次に、ハンドル杆２ｆは凹溝２ｄに入る巾の長板状のもので基端の側面にはヒンジ部２ｅのヒンジ軸を突設し、先端には短円柱状の回転用ツマミ２ｇを回転可能に突設しているもので、回転用ツマミ２ｇは右手の親指と人差し指と中指で摘んでハンドル杆２ｆを回転させるものである。【００２４】  そして、手動式発電手段２は本体ケース１内の巾方向に発電駆動軸２ｂを配設し、該発電駆動軸２ｂと機械的に接続された複数の増速ギアを組み合わせたた増速器２ｉと、増速器２ｉと機械的に接続した発電軸、コイル、磁気コア等を組設した手動式発電機２ａと、前記発電駆動軸２ｂに固定した回転板２ｃ、ハンドル杆２ｆ等を備えているものである。【００２５】  次いで、凹陥部２ｈは本体ケース１の裏面１ｂに凹設しており、ハンドル杆２ｆの先端に取着した回転用ツマミ２ｇを嵌入させるもので、ハンドル杆２ｆは使用しない状態ではヒンジ部２ｅを枢動させて回転用ツマミ２ｇを凹陥部２ｈの位置まで回動させて、回転用ツマミ２ｇを凹陥部２ｈに埋没するように嵌入するものである。【００２６】  次に、充電手段３は放電充電可能なバッテリーであり、前記手動式発電手段２と電気的に接続されており、手動式発電手段２で発電した電力を充電すると共に、後述するラジオ手段４と警報サイレン手段５とライト手段６と他の電気機器に充電できる他機器充電手段７とに夫々電気的に接続されており、夫々に電力を供給するものである。【００２７】  更に、本考案の手動式発電充電装置は目的に合わせて、ラジオ手段４と、警報サイレン手段５と、ライト手段６と、他の電気機器に充電できる他機器充電手段７と、商業電源から充電できる自己充電手段８との少なくとも一つを備えたものである。【００２８】  つまり、ラジオ手段４は充電手段３と電気的に接続させ本体ケース１に内装した受信用チューナ（図示しない）と、本体ケース１の表面１ａに露出させて設けた周波数が表示されたインジケータ４ａ、選局用ダイヤル４ｂ、音量調整用ダイヤル兼オンオフスイッチ４ｃ、ＡＭ＆ＦＭ切換スイッチ４ｄ、スピーカー４ｅ、及び、本体ケース１の天井部１ｂｃに沿ってアンテナ収納用凹溝を形成し、該アンテナ収納用凹溝に収納できるように伸縮自在で且つ枢動自在なアンテナ４ｆ、並びに、本体ケース１の基端部１ｄａに配設するイヤホン用のピンジャック部１０とを備えているものである。【００２９】  次いで、警報サイレン手段５は本体ケース１に内装された電子音発生器（図示しない）と、本体ケース１の裏面１ｂに取着したオンオフスイッチ５ａとから成り、スピーカーは前記ラジオ手���４のスピーカー４ｅと兼用しても、別途に設けても構わないものである。【００３０】  次に、ライト手段６は本体ケース１の先端部１ｄｄに設けるもので、発光ダイオード（ＬＥＤ）を３個並設して、前面は照射用レンズ６ｂで覆っているもので、オンオフ兼照度切換スイッチ６ａは天井部１ｄｃに設けおり、一度押すことで一つのランプが点灯し、二度押すことで三つのライトが点灯して高輝度と成り、更に、もう一度押すことでオフに成るものである。【００３１】  更に、他の電気機器に充電できる他機器充電手段７は充電手段３と電気的に接続させたピンジャックであり、代表的には携帯電話又はＰＨＳ、モバイルパソコン等の充電するもので、充電アダプタ（図示しない）を介してピンジャック部１０へ接続し他の電気機器を充電させるものである。【００３２】  更には、商業電源から充電できる自己充電手段８は、充電手段３と電気的に接続させたピンジャック部１０であり、当該手動式発電充電装置の充電手段３のバッテリーを充電するものであり、専用アダプタ（図示しない）のコンセントを商業電源に差し込みピンプラグをピンジャック部１０に差し込むことで充電手段３を充電をするものである。【００３３】  そして、ラジオ手段４と電気的に接続させたピンジャックを前記他機器充電手段７のピンジャックと自己充電手段８のピンジャックとを並設するピンジャック部１０としたもので、ピンジャックにイヤホン又はヘッドホン（図示しない）のピンプラグを挿通させることにより、周りに迷惑かけることなくラジオを聴けるものである。【００３４】  更には、他機器充電手段７と自己充電手段８とラジオ手段４のピンジャック部１０は、本体ケース１の基端部１ｄａに並設させており、開口部は開閉蓋で覆っているものである。【００３５】  次いで、ストラップ締結手段９は本体ケース１の外装の基端部１ｄａにストラップの紐を締結できる挿通用孔を備えているものであるが、その取り付け位置は基端部１ｄａに限らないもので、手動式発電充電装置を携帯するときに締結したストラップを持って携帯するものである。【００３６】  つまり、本考案の手動式発電充電装置は充電手段３に電力を充電するときに手動で発電して充電するものであり、左手の掌を本体ケース１の表面１ａに当接させて、親指を天井部１ｂｃに沿って当接し、他の四指を底部１ｃに当接して把持すると確りと把持できるもので、通常時はハンドル杆２ｆの先端に設けた回転用ツマミ２ｇは本体ケース１の裏面１ｂに設けた凹陥部２ｈに嵌入しており、右手でハンドル杆２ｆを持ってヒンジ部２ｅによって反転させると回転用ツマミ２ｇは上方に位置し、右手の親指と人差し指と中指で回転用ツマミ２ｇを摘んで回転させるものであり、回転させると回転板２ｃが固定された発電駆動軸２ｂと共に回転して複数の増速ギアが組み込まれた増速器２ｉにより回転数が増加され、手動式発電機２ａにより発電するものである。【００３７】  そして、手動式発電機２ａに電気的に接続された充電手段３に発電された電力が蓄電されるもので、蓄電された電力はラジオ手段４、警報サイレン手段５、ライト手段６、他の電気機器に充電できる他機器充電手段７に夫々使用されるものであり、商業電源から充電できる自己充電手段８は家庭等の商業電源の取れるところで充電手段３のバッテリーに充電するものである。
【産業上の利用可能性】
【００３８】  本考案の手動式発電充電装置は、災害時や遭難時等の緊急時又はキャンプや登山等の商業電源の取れない無い場所や時において好適に使用できるものである。
【図面の簡単な説明】
【００３９】
【図１】図１は本考案の手動式発電充電装置の実施例を説明するための正面図である。
【図２】図２は本考案の手動式発電充電装置の実施例を説明するための背面図である。
【図３】図３は本考案の手動式発電充電装置の実施例を説明するための側面図である。
【図４】図４は本考案の手動式発電充電装置の実施例を説明するための平面図である。
【符号の説明】
【００４０】１      本体ケース
１ａ    表面
１ｂ    裏面
１ｃ    底部
１ｄ    ケース側壁
１ｄａ  基端部
１ｄｂ  頂部
１ｄｃ  天井部
１ｄｄ  先端部
２      手動式発電手段
２ａ    手動式発電機
２ｂ    発電駆動軸
２ｃ    回転板
２ｄ    凹溝
２ｅ    ヒンジ部
２ｆ    ハンドル杆
２ｇ    回転用ツマミ
２ｈ    凹陥部
２ｉ    増速器
３      充電手段
４      ラジオ手段
４ａ    インジケータ
４ｂ    選局用ダイヤル
４ｃ    音量調整用ダイヤル兼オンオフスイッチ
４ｄ    ＡＭ＆ＦＭ切換スイッチ
４ｅ    スピーカー
４ｆ    アンテナ
５      警報サイレン手段
５ａ    オンオフスイッチ
６      ライト手段
６ａ    オンオフスイッチ
６ｂ    照射用レンズ
７      他機器充電手段
８      自己充電手段
９      ストラップ締結手段
１０    ピンジャック部
【図１】
0003110900.tif 000003
【図２】
0003110900.tif 000004
【図３】
0003110900.tif 000005
【図４】
0003110900.tif 000006